(57)【要約】【課題】  本体フレームに対する受光素子の受光面の位置精度を向上させ、本体フレームの薄型化を図ることができる光ヘッド装置を提供すること。【解決手段】  光ヘッド装置１において、受光素子７は、ベース基板７ｂ上に載置された受光面７ｅを有する受光部７ｃを埋設するようにしてベース基板７ｂ上に透明樹脂層７ｄが積層され、透明樹脂層７ｄの反射光の入射面７ａが、第２フレーム６２に当接された状態で受光素子７が第２フレーム６２に固定されている。【選択図】      図５
2006147063.tif 000002
【特許請求の範囲】
【請求項１】
レーザ発光素子と、該レーザ発光素子から出射されたレーザ光を光ディスクへ集光させ
る対物レンズと、前記光ディスクでの反射光を受光する受光面を有する受光素子と、前記
受光面へ前記反射光を導く導光ミラーと、少なくとも前記受光素子と前記導光ミラーとが
載置される本体フレームとを備え、前記受光面が、前記対物レンズに対する前記反射光の
入射方向を向くように配設された光ヘッド装置において、
前記受光素子は、ベース基板上に載置された前記受光面を有する受光部を埋設するようにして前記ベース基板上に透明樹脂層が積層され、該透明樹脂層の前記反射光の入射面を前記光ディスクと略平行に配設させるとともに前記本体フレームに当接させた状態で、前記受光素子が前記本体フレームに固定されていることを特徴とする光ヘッド装置。
【請求項２】
請求項１において、前記受光素子と前記本体フレームとに跨るように接着剤が塗布され、前記受光素子が前記本体フレームに固定されていることを特徴とする光ヘッド装置。
【請求項３】
請求項１または２において、前記本体フレームは、前記光ディスクに対向する上面および該上面の反対面となる下面を有するとともに、前記上面および前記下面のいずれか一方の面に前記受光素子の前記入射面が当接される当接部を有し、該当接部の近傍に、前記上面から前記下面に貫通した透孔を有したことを特徴とする光ヘッド装置。
【請求項４】
請求項３において、前記受光素子と前記透孔とに跨るように接着剤が塗布され、前記受光素子が前記本体フレームに固定されていることを特徴とする光ヘッド装置。
【請求項５】
請求項４において、前記受光素子の前記入射面と前記透孔とに跨るように接着剤が塗布され、前記受光素子が前記本体フレームに固定されていることを特徴とする光ヘッド装置。
【請求項６】
請求項２または５のいずれかにおいて、前記受光素子の前記受光部を挟む両側と前記本体フレームとに跨るように接着剤が塗布され、前記受光素子が前記本体フレームに固定されていることを特徴とする光ヘッド装置。
【発明の詳細な説明】
【技術分野】
【０００１】
本発明は、ＣＤやＤＶＤなどの光ディスクの記録、再生を行う光ヘッド装置及び光ヘッ
ド装置の調整方法に関するものである。さらに詳しくは、光ヘッド装置に搭載される受光
素子の取付位置調整機構及び取付位置調整方法に関するものである。
【背景技術】
【０００２】
ＣＤやＤＶＤ等の光ディスクの記録、再生を行う光ヘッド装置は、レーザ発光素子、レ
ーザ発光素子から出射されたレーザ光を光ディスクへ集光させる対物レンズ、対物レンズ
に向かってレーザ光を立ち上げる立上げミラー、光ディスクでの反射光を受光する受光面
を有する受光素子、及び、レーザ発光素子や受光素子や所定の光学系等が載置される本体
フレームなどを備えている。この種の光ヘッド装置としては、受光素子の受光面へ反射光
を導く導光ミラーを備え、受光素子の受光面が光ディスクと平行に配設された光ヘッド装置が知られている（例えば、特許文献１参照）。
【０００３】
特許文献１に開示された光ヘッド装置では、本体フレームに対する受光素子の固定は、受光素子を載置したプレートを本体フレームへネジ固定することにより行っている。
【特許文献１】特開２００３−２７２２２０号公報
【発明の開示】
【発明が解決しようとする課題】
【０００４】
特許文献１に開示された光ヘッド装置は、受光素子の受光面が光ディスクと平行に配設されているため、受光素子の受光面を光ディスクと垂直に配設した従来の光ヘッド装置と比較して、光ヘッド装置の薄型化が図れるという利点があるが、受光素子がプレートを介して間接的に本体フレームに固定されているため、本体フレームの基準面に対する受光素子の受光面の位置精度が、プレートの成形誤差によって悪化するという問題がある。
【０００５】
近年、光ディスクの高記録密度化あるいは記録速度の高速化に伴い、光ヘッド装置が薄型化されており、ノートパソコンに内蔵される光ヘッド装置の場合では、特に、本体フレームの薄型化が要求され、略光学素子の厚さまで薄型化されたものが用いられている。しかし、受光素子がプレートを介して間接的に本体フレームに固定されたものでは、プレートの成形誤差に伴い、光学素子の位置調整分を考慮する必要があるので、薄型化の妨げになるという問題がある。
【０００６】
以上の問題点に鑑み、本発明の課題は、本体フレームに対する受光素子の受光面の位置精度を向上させ、本体フレームの薄型化を図ることができる光ヘッド装置を提供することにある。
【課題を解決するための手段】
【０００７】
上記の課題を解決するため、本発明は、レーザ発光素子と、該レーザ発光素子から出射されたレーザ光を光ディスクへ集光させる対物レンズと、前記光ディスクでの反射光を受光する受光面を有する受光素子と、前記受光面へ前記反射光を導く導光ミラーと、少なくとも前記受光素子と前記導光ミラーとが載置される本体フレームとを備え、前記受光面が、前記対物レンズに対する前記反射光の入射方向を向くように配設された光ヘッド装置において、前記受光素子は、ベース基板上に載置された前記受光面を有する受光部を埋設するようにして前記ベース基板上に透明樹脂層が積層され、該透明樹脂層の前記反射光の入射面を前記光ディスクと略平行に配設させるとともに前記本体フレームに当接させた状態で、前記受光素子が前記本体フレームに固定されていることを特徴とする。
【０００８】
本発明では、前記受光素子と前記本体フレームとに跨るように接着剤が塗布され、前記受光素子が前記本体フレームに固定されていることが好ましい。このように構成すると、受光素子が本体フレームに直接固定されるので、透明樹脂層の反射光の入射面を、確実に本体フレームに当接された状態で受光素子を本体フレームに固定することができる。従って、本体フレームに対する受光素子の受光面の位置精度を向上させることができる。
【０００９】
本発明において、前記本体フレームは、前記光ディスクに対向する上面および該上面の反対面となる下面を有するとともに、前記上面および前記下面のいずれか一方の面に前記受光素子の前記入射面が当接される当接部を有し、該当接部の近傍に、前記上面から前記下面に貫通した透孔を有していることが好ましい。このように構成すると、透孔を利用して、接着剤を当接部の近傍に塗布することができる。故に、透明樹脂層の反射光の入射面を、確実に当接部に当接された状態で受光素子を本体フレームに固定することができる。従って、本体フレームに対する受光素子の受光面の位置精度を向上させることができる。
【００１０】
この場合には、前記受光素子と前記透孔とに跨るように接着剤が塗布されていることが好ましい。このように構成すると、接着剤の塗布を透孔内で行うことができる。故に、接着剤が本体フレームの外部にはみ出さすことがないので、本体フレームの薄型化を阻害せずに受光素子を本体フレームに固定することができる。さらに、前記受光素子の前記入射面と前記透孔とに跨るように接着剤が塗布されていることが好ましい。このように構成すると、接着剤の垂れが受光素子の入射面によって阻止され、接着剤が入射面と透孔とに跨って塗布できる。このとき接着剤は、入射面と透孔との角にフィレット形状に溜まるので、本体フレームに対する受光素子の接着を確実に行うことができる。
【００１１】
本発明において、前記受光素子の前記受光部を挟む両側と前記本体フレームとに跨るように接着剤が塗布され、前記受光素子が前記本体フレームに固定されていることが好ましい。このように構成すると、受光素子の本体フレームへの固定を確実で、且つバランスよく行うことができる。
【発明の効果】
【００１２】
以上のように本発明にかかる光ヘッド装置では、受光素子は、ベース基板上に載置された受光面を有する受光部を埋設するようにしてベース基板上に透明樹脂層が積層され、透明樹脂層の反射光の入射面を前記光ディスクと略平行に配設させるとともに本体フレームに当接させた状態で、受光素子が本体フレームに固定されている。本発明は、受光素子のベース基板上に積層される透明樹脂層の形成精度がよいことに着目し、ベース基板上に透明樹脂層が積層された受光素子を採用し、透明樹脂層の反射光の入射面を直接本体フレームに当接させた状態で受光素子を本体フレームに固定させている。故に、本体フレームに対する受光素子の受光面の位置精度を向上させ、本体フレームの薄型化を図ることができる。
【発明を実施するための最良の形態】
【００１３】
以下、本発明を実施するための最良の形態を図面に基づいて説明する。
【００１４】
（光ヘッド装置の概略構成）
図１は、本発明の実施の形態にかかる光ヘッド装置の概略構成を模式的に示す概略構成図である。図２は、図１に示す光ヘッド装置を上面側から見たときの斜示図である。図３は、図１に示す光ヘッド装置を下面側からみたときの斜視図である。図４は、図１に示す光ヘッド装置の第２フレーム上に光学素子が載置された状態を下面側から示す斜示図である。図５は、図４に示す光ヘッド装置の受光素子周辺のＡ−Ａ断面を模式的に示す断面図である。
【００１５】
本形態における光ヘッド装置１は、ＣＤあるいはＤＶＤなどの光ディスク２に対する情報記録、情報再生を行うものであり、光ディスク２に向かってレーザ光を出射する光源としての第１および第２のレーザ発光素子３１、３２と、光ディスク２からの反射光を受光する受光素子７と、出射されたレーザ光を光ディスク２に集光させる対物レンズ９をトラッキング方向、フォーカシング方向およびチルト方向へ駆動する対物レンズ駆動装置５と、この対物レンズ駆動装置５を上面側に保持するとともに、第１および第２のレーザ発光素子３１、３２からの出射光を光ディスク２に導くとともに光ディスク２からの反射光を受光素子７に導く所定の光学系や、第１および第２のレーザ発光素子３１、３２や、受光素子７などが載置された本体フレーム６とを有している。
【００１６】
第１および第２のレーザ発光素子３１、３２は、波長６５０ｎｍ（短波長）の第１のレーザ光を出射するＤＶＤ用のレーザ発光素子、および波長７８０ｎｍ（長波長）の第２のレーザ光を出射するＣＤ用のレーザ発光素子である。また、第１および第２のレーザ発光素子３１、３２は、ともに、円筒状の金属ケースに半導体レーザチップが内設されたキャンタイプのレーザ発光素子でホルダ１３、１７を介して本体フレーム６に載置されている。
【００１７】
第１のレーザ発光素子３１から出射された第１のレーザ光Ｌ１は、光路分離素子としての偏光ビームスプリッタからなる第１のプリズム１５および光路合成素子としての偏光ビームスプリッタからなる第２のプリズム１０により、光ディスク２に向かう共通光学経路１１に導かれ、対物レンズ９により光ディスク２の記録面に集光するようになっている。第２のレーザ発光素子３２から出射された第２のレーザ光Ｌ２は、第２のプリズム１０により、共通光学経路１１に導かれ、対物レンズ９により光ディスク２の記録面に集光するようになっている。また、光ディスク２で反射されたレーザ光の戻り光（反射光）は、第２のプリズム１０を介して第１のプリズム１５に入射し、この第１のプリズム１５で分離されて受光素子７の入射面７ａに導かれるようになっている。
【００１８】
より具体的には、本体フレーム６上において、第１のレーザ発光素子３１から光ディスク２に向かう光路上には、第１のグレーティングレンズ１４、第１のプリズム１５、第２のプリズム１０、コリメータレンズ１８、立ち上げミラー１９、および対物レンズ９がこの順に配置されている。従って、第１のレーザ発光素子３１から出射された第１のレーザ光Ｌ１は、第１のグレーティングレンズ１４、第１のプリズム１５、および第２のプリズム１０を透過した後、コリメータレンズ１８で平行光化され、しかる後に、立ち上げミラー１９で上方に導かれ、対物レンズ９によって光ディスク２の記録面に光スポットとして集光するようになっている。
【００１９】
また、第２のレーザ発光素子３２から光ディスク２に向かう光路上には、リレーレンズ１２、第２のグレーティングレンズ１６、第２のプリズム１０、コリメータレンズ１８、立ち上げミラー１９、および対物レンズ９がこの順に配置されている。従って、第２のレーザ発光素子３２から出射された第２のレーザ光Ｌ２は、リレーレンズ１２、および第２のグレーティングレンズ１６を透過した後、その一部が第２のプリズム１０で部分反射された後、コリメータレンズ１８で平行光化され、しかる後に、立ち上げミラー１９で上方に導かれ、対物レンズ９によって光ディスク２の記録面に光スポットとして集光するようになっている。
【００２０】
さらに、光ディスク２での反射光Ｌｒは、上記とは反対の光路を辿り、対物レンズ９、立ち上げミラー１９、コリメータレンズ１８、第２のプリズム１０を経て第１のプリズム１５に入射するようになっている。その後、第２のプリズム１５で部分反射された反射光は、センサレンズ２０を透過した後、導光ミラー２１により立ち上げられて受光素子７の入射面７ａに至るようになっている。
【００２１】
なお、第２プリズム１０の側方には、第１および第２のレーザ発光素子３１、３２の出力を調整するためのモニタ用受光素子２３が設けられている。このモニタ用受光素子２３は、第１のレーザ発光素子３１から出射され第２のプリズム１０で部分反射された第１のレーザ光を受光し、かつ、第２のレーザ発光素子３２から出射され第２のプリズム１０を透過した第２のレーザ光を受光する位置に配設されている。
【００２２】
本体フレーム６は、図２、図３に示すように、第１フレーム６１と第２フレーム６２とから構成されており、光ディスク２に対向する上面６ａとこの上面６ａの反対面となる下面６ｂとを備えた扁平形状をしている。
【００２３】
第１フレーム６１は、マグネシウムダイキャストにより形成され、上面６１ａと下面６１ｂとを備えるとともに、その両端部には、丸穴からなるガイド穴６ｃ、６ｃと、コの字形状に突き出したガイド部６ｄとが形成されている。ガイド穴６ｃ、６ｃに通された主軸５１と、ガイド部６ｄに通された副軸５２に沿って、光ヘッド装置１は、光ディスク２の半径方向に移動することができるようになっている。すなわち、ガイド穴６ｃ、６ｃおよびガイド部６ｄは、それぞれ主軸および副軸に係合する係合部になっている。また、第１フレーム６１には、第１および第２のレーザ発光素子３１、３２を駆動するドライバー（図示しない）が搭載される配線基板としてのＦＰＣ６４が固定されている。なお、第１フレーム６１は、必ずしもマグネシウムダイキャストに限定されるものではなく、アルミダイキャストまたは亜鉛ダイキャスト等により形成してもよい。
【００２４】
第２フレーム６２は、亜鉛ダイキャストにより形成され、上面６２ａと下面６２ｂとを備えている。そして、この第２フレーム６２は、本体フレーム６の上面６ａと下面６ｂとを貫通した貫通孔２２内に内設され、その内壁に第２フレーム６２の外壁が接着固定されている。
【００２５】
また、図５に示すように第２フレーム６２の上面６２ａには、受光素子７が内設され、その底面に受光素子７が載置される載置面（当接部）６２ｅを有する凹部６２ｆが形成されている。この載置面６２ｅ上には、入射面７ａが対物レンズ９に対する反射光の入射方向（図５における上方向）を向くように、受光素子７が配設されており、透明樹脂層７ｄの入射面７ａを載置面６２ｅに当接させた状態で、受光素子７が第２フレーム６２に接着固定されている。
【００２６】
受光素子７は、シャープ製ＧＡ３０１ＴＸＷ３ＭＺ、パイオニア製ＣＰ００５８ＡＡ、およびＮＥＣ製ＰＨ９２０７Ａ５ＮＭ５等が用いられ、受光面７ｅを有する受光部７ｃを埋設するようにしてベース基板７ｂ上に透明樹脂層７ｄが積層されている。受光面７ｅもまた対物レンズ９に対する反射光の入射方向（図５における上方向）を向くように配設されている。また、受光部７ｃを搭載するベース基板７ｂ側が、配線基板となるＦＰＣ６３の半田ランド部（図示しない）に半田接続され搭載されており、透明樹脂層７ｄの入射面７ａを載置面６２ｅに当接させながら第２フレーム６２の上面６２ａ側から受光素子７の取り付け位置の調整を行った後、入射面７ａが載置面６２ｅに当接された状態で受光素子７が第２フレーム６２に接着固定されている。
【００２７】
すなわち、載置面６２ｅの近傍には、第２フレームの上面６２ａから下面６２ｂに貫通した透孔６２ｇが形成されており、その内壁と受光素子７の入射面７ａとに跨ってフィレット形状に接着剤６６が塗布されることにより、受光素子７が第２フレームに接着固定されている。なお、ＦＰＣ６３の受光素子７が載置された反対側には、補強板６５が固着されている。故に、受光素子７の取り付け位置の調整の際、ＦＰＣの変形が防止される。従って、受光素子７が半田接続された半田ランド部に応力がかからないので、受光素子７と半田ランド部との半田接続を防止することができる。
【００２８】
本形態の第２フレーム６２には、受光素子７の他に、光学系を構成する所定の光学素子と、第1および第２のレーザ発光素子３１、３２等が載置されている。本形態における所定の光学系とは、具体的には、リレーレンズ１２、第１のグレーティングレンズ１４、第２のグレーティングレンズ１６、第１のプリズム１５、第２のプリズム１０、コリメータレンズ１８、モニタ用受光素子２３、センサレンズ２０、および導光ミラー２１である。ただし、リレーレンズ１２は、ホルダ１７に固定されており、レーザ発光素子３１同様、間接的に第２フレーム６２へ載置されている。なお、第１、第２のグレーティング１４、１６が、それぞれ固定される壁部６２ｃ、６２ｄは、それぞれ第１、第２のレーザ発光素子３１、３２から出射されるレーザ光の出射方向と直交方向に形成された証面になっている。また、第２フレーム６２は、必ずしも亜鉛ダイキャストに限定されるものではなく、アルミダイキャスト、またはマグネシウムダイキャスト等により形成しても良い。
【００２９】
対物レンズ駆動装置５は、対物レンズ９を保持するレンズホルダ４０と、このレンズホルダ４０の左右両側で上下３段に配置された６本のワイヤ４１により、レンズホルダ４０をトラッキング方向、フォーカシング方向、およびチルト方向に変位可能に支持するホルダ支持部材４２と、対物レンズ駆動装置５のフレームを構成するヨーク４３（図３参照）とを備えている。ヨーク４３は、本体フレーム６の下面６ｂ側に取付られており、これによって、対物レンズ駆動装置５は、対物レンズ９が本体フレーム６の上面６ａ側に配置されるように、本体フレーム６に搭載されている。なお、支持部材４２は、本体フレーム６あるいはヨーク４３に固定支持されている。
【００３０】
対物レンズ駆動装置５は、レンズホルダ４０に取付られた駆動コイルおよびヨーク４３に取付られた駆動マグネットから構成される磁気駆動回路４４を備え、駆動コイルに対する通電を制御することによりレンズホルダ４０に支持された対物レンズ９を光ディスク２に対してトラッキング方向、フォーカシング方向およびチルト方向に駆動することができるようになっている。
【００３１】
（受光素子の取付位置調整）
以上のように構成された光ヘッド装置１における受光素子７の取付位置調整の方法を以下に説明する。
【００３２】
本形態においては、第２フレーム６２には、第１および第２のレーザ発光素子３１、３２からの出射光を平行光にするコリメータレンズ１８が光学系の最終段に載置されている。そのため、所定の光学素子等が載置された第２フレーム６２は平行光を出射する一つの光学ユニットとみなすことができる。そこで、本形態では、第１フレーム６１に第２フレーム６２を固定する前の状態、すなわちオフラインで受光素子７の取付位置を調整することになる。
【００３３】
オフラインでの受光素子７の取付位置調整には、光ディスク２に換えてレーザ光を反射する反射面を備えた擬似ディスク（図示省略）を用いる。また、コリメータレンズ１８から出射されたレーザ光を立ち上げる調整用ミラー（図示省略）、およびこの調整用ミラーによって立ち上げられたレーザ光を擬似ミラーに集光させる調整用レンズ（図示省略）を用いる。
【００３４】
擬似ディスクは、調整用レンズから出射光軸上に配置されるミラーである。擬似ディスクは、調整用レンズから出射されたレーザ光を反射すれば足りることから、光ディスク２に比べ小型のものを用いることができる。
【００３５】
上記の擬似ディスク、調整用ミラーおよび調整用レンズを用いて、オフラインで受光素子７の取付位置調整が行われる。具体的には、受光素子７およびセンサレンズ２０以外の光学素子、第１および第２のレーザ発光素子３１、３２を予め位置調整した後、接着固定して載置した第２フレーム６２と、調整用ミラーと、調整用レンズと、擬似ディスクとを所定の治具によって保持する。
【００３６】
その後、第１のレーザ発光素子３１からレーザ光を出射して、擬似ディスクからの反射光を読みながら、受光素子７の取付位置調整を行う。より具体的には、載置面６２ｅに当接しながら、平面方向（Ｘ方向およびＹ方向）で位置調整しつつ、センサレンズ２０を所定の治具を用いて位置調整して、入射面７ａに至る反射光の光路長（Ｚ方向）を調整する。この位置調整は、第２フレーム６２の上面６２ａ側から行う。
【００３７】
本形態の場合、第２フレーム６２に載置された光学素子の最終段にコリメータレンズ１８が載置されているので、コリメータレンズ１８から出射された平行光が調整ミラーによって上面６２ａ側へ立ち上げられる。故に、第２フレーム６２の上面６２ａに載置された受光素子７と擬似ディスクとの距離を適宜設定可能なため、十分に確保することができるので、センサレンズ２０および受光素子７の調整作業を容易且つ正確に行うことができる。
【００３８】
このようにしてオフラインでの受光素子７の取付位置の調整が完了すると、受光素子７およびセンサレンズ２０を接着で第２フレーム６２に固定する。受光素子７の第２フレーム６２への接着に関しては第２フレーム６２の下面６２ｂ側から透孔６２を介して行われる。その後、所定の光学素子等を載置した第２フレーム６２を、受光素子７の取付位置調整が完了した状態で、第１フレーム６１の上面に固定するとともに、立ち上げミラー１９および対物レンズ駆動装置５を第１フレーム６１に搭載して光ヘッド装置１を完成する。
【００３９】
（本形態の主な効果）
以上説明したように、本形態の光ヘッド装置１では、受光素子７は、ベース基板７ｂ上に載置された受光面７ｅを有する受光部７ｃを埋設するようにしてベース基板７ｂ上に透明樹脂層７ｄが積層され、透明樹脂層７ｄの反射光の入射面７ａを光ディスク２と略平行に配設させるとともに第２フレーム６２に当接された状態で、受光素子７が第２フレーム６２に固定されている。ベース基板７ｂ上に透明樹脂層７ｄが積層された受光素子７の場合、受光素子７のベース基板７ｂ上に積層される透明樹脂層７ｄの形成精度がよいので、透明樹脂層７ｄの反射光の入射面７ａを直接第２フレーム６２に当接させた状態で受光素子７を第２フレーム６２に固定させることにより、第２フレーム６２に対する受光素子７の受光面７ｅの位置精度を向上させることができる。
【００４０】
また、本形態において、第２フレーム６２は、光ディスク２に対向する上面６２ａおよびこの上面６２ａの反対面となる下面６２ｂを有するとともに、上面６２ａに形成された凹部６２ｆに受光素子７の入射面７ａが当接される載置面６２ｅを有し、この載置面６２ｅの近傍に、上面６２ａから下面６２ｂに貫通した透孔６２ｇを有している。故に、透孔６２ｇを利用して、接着剤を載置面６２ａの近傍に塗布することによって、透明樹脂層７ｄの反射光の入射面７ａを、確実に載置面６２ｅに当接された状態で受光素子７を第２フレーム６２に固定することができる。従って、第２フレーム６２に対する受光素子の受光面の位置精度を向上させることができる。
【００４１】
さらに、受光素子７の入射面７ａと透孔６２ｇとに跨るように接着剤が塗布されているので、接着剤の塗布を透孔６２ｇ内で行うことができる。故に、接着剤が第２フレーム６２の外部にはみ出さすことがないので、第２フレーム６２の薄型化を阻害せずに受光素子７を第２フレーム６２に固定することができる。その上、接着剤の垂れが受光素子７の入射面７ａによって阻止され、接着剤が入射面７ａと透孔６２ｇとに跨って塗布することができる。このとき接着剤は、入射面７ａと透孔６２ｇとの角にフィレット形状に溜まるので、第２フレーム６２に対する受光素子７の接着を確実に行うことができる。
【００４２】
さらにまた、本形態において、受光素子７の受光部７ｃを挟む両側と第２フレーム６２とに跨るように接着剤が塗布され、受光素子７が第２フレーム６２に固定されているので、確実で、且つバランスよく受光素子７を第２フレーム６２に固定することができる。
【００４３】
（他の実施の形態）
上述した形態は、本発明の好適な形態の一例ではあるが、これに限定されるものではなく本発明の要旨を変更しない範囲において種々変形可能である。例えば、上述した形態では、レーザ発光素子３１、３２としてキャンタイプレーザを用いたが、フレームタイプレーザを用いてもよい。
【００４４】
また、受光素子７の取付位置調整は必ずしもオフラインで行う必要はなく、完成された光ヘッド装置１と光ディスク２を用いて受光素子７の取付位置調整を行うようにしても良い。
【図面の簡単な説明】
【００４５】
【図１】本発明の実施の形態にかかる光ヘッド装置の概略構成を模式的に示す概略構成図である。
【図２】図１に示す光ヘッド装置を上面側から見たときの斜示図である。
【図３】図１に示す光ヘッド装置を下面側からみたときの斜視図である。
【図４】図１に示す光ヘッド装置の第２フレーム上に光学素子が載置された状態を下面側から示す斜示図である。
【図５】図４に示す光ヘッド装置の受光素子周辺のＡ−Ａ断面を模式的に示す断面図である。
【符号の説明】
【００４６】
１  光ヘッド装置
２  光ディスク
５対物レンズ駆動装置
６  フレーム
６ｃ  ガイド穴
６ｄ  ガイド部
７  受光素子
７ａ  入射面
７ｂ  ベース基板
７ｃ  受光部
７ｄ  透明樹脂層
７ｅ  受光面
９  対物レンズ
１８  コリメータレンズ
３１  第１のレーザ発光素子
３２  第２のレーザ発光素子
５１  主軸
５２  副軸
６１  第１フレーム
６１ａ  上面
６１ｂ  下面
６２  第２フレーム
６２ａ  上面
６２ｂ  下面
６２ｃ、６２ｄ  壁部
６２ｅ  載置面（当接部）
６２ｆ  凹部
６２ｇ  透孔
【図１】
2006147063.tif 000003
【図２】
2006147063.tif 000004
【図３】
2006147063.tif 000005
【図４】
2006147063.tif 000006
【図５】
2006147063.tif 000007